(57)【特許請求の範囲】
【請求項１】
大便器の便器本体内の臭気を脱臭する方法であって、
吹出口から前記便器本体内に空気を吹き出すとともに前記便器本体内の空気を吸込口から吸い込み、前記便器本体の内面に沿って横旋回する空気の横旋回流と、前記便器本体の内部を横断する空気の横断流を形成し、
前記横旋回流と前記横断流によって流れて前記吸込口から吸い込んだ空気の臭気成分を脱臭手段で除去することを特徴とする大便器の脱臭方法。
【請求項２】
請求項１記載の大便器の脱臭方法において、
吹出口から前記便器本体内に空気を吹き出すとともに前記便器本体内の空気を吸込口から吸い込んで、前記便器本体内に複数の前記空気の横旋回流及び／又は複数の前記空気の横断流を形成する大便器の脱臭方法。
【請求項３】
請求項１または請求項２に記載の大便器の脱臭方法において、
吹出口から前記便器本体内に空気を吹き出すとともに前記便器本体内の空気を吸込口から吸い込み、前記便器本体の内面に沿って縦旋回する空気の縦旋回流を形成する大便器の脱臭方法。
【請求項４】
請求項１から請求項３のいずれか一項に記載の大便器の脱臭方法において、
吹出口から空気を吹き出して少なくとも一部が渦流となるように前記空気の横旋回流及び／又は前記横断流を形成することを特徴とする大便器の脱臭方法。
【請求項５】
請求項１から請求項４のいずれか一項に記載の大便器の脱臭方法において、
前記脱臭手段で処理した空気を前記吹出口から前記便器本体内に吹き出して循環させる大便器の脱臭方法。
【請求項６】
請求項１から請求項５のいずれか一項に記載の大便器の脱臭方法において、
前記横旋回流を前記横断流よりも強い空気の流れにする大便器の脱臭方法。
【請求項７】
請求項１から請求項６のいずれか一項に記載の大便器の脱臭方法において、
前記横断流が前記横旋回流に合流して前記吸込口から吸い込まれるようにする大便器の脱臭方法。
【請求項８】
便器本体内の臭気を脱臭する脱臭装置を備えた大便器であって、
前記脱臭装置が、前記便器本体内に空気を吹き出す吹出口と、前記便器本体内の空気を吸い込む吸込口と、前記吸込口から吸い込んだ空気の臭気成分を除去する脱臭手段とを備え、
前記吹出口から前記便器本体内に空気を吹き出し、前記便器本体内の空気から吸い込み、前記便器本体の内面に沿って横旋回する空気の横旋回流と、前記便器本体の内部を横断する空気の横断流を形成し、前記横旋回流と前記横断流によって流れる空気を前記吸込口から吸い込むように構成されていることを特徴とする大便器。
【請求項９】
請求項８記載の大便器において、
前記吹出口に風向調節部材が設けられ、
前記風向調節部材は、前記吹出口から吹き出す空気が流通するとともに、前記便器本体の内面に向けて空気を吹き出させ、前記便器本体の内面に沿って横旋回する空気の横旋回流を形成するための横旋回流形成部と、前記便器本体の内側に向けて空気を吹き出させ、前記便器本体の内部を横断する空気の横断流を形成するための横断流形成部とを備えている大便器。
【請求項１０】
請求項８または請求項９に記載の大便器において、
前記脱臭装置が、吹出口から前記便器本体内に空気を吹き出し、前記便器本体内の空気を吸込口から吸い込み、前記便器本体の内面に沿って縦旋回する空気の縦旋回流を形成するように構成されている大便器。
【請求項１１】
請求項８から請求項１０のいずれか一項に記載の大便器において、
前記脱臭装置が前記吹出口及び／又は前記吸込口に渦流発生手段を備え、
前記渦流発生手段によって少なくとも一部が渦流となるように前記空気の横旋回流及び／又は前記横断流を形成するように構成されている大便器。
【発明の詳細な説明】
【技術分野】
【０００１】
本発明は、大便器の脱臭方法及び大便器に関する。
【背景技術】
【０００２】
大便器には、用便後に局部を洗浄するための局分洗浄装置や、用便中、用便後の臭気を吸い込んで脱臭する脱臭装置を備えたものがある。
【０００３】
局部洗浄装置（局部洗浄ユニット）は、例えば、リモコン操作などに応じ、ノズル開口部を通じて便器本体の内側とカバーケース及びノズルカバーの間で進退・出没する局部洗浄ノズルを備え、局部洗浄ノズルが進出とともにノズル開口部を開閉するシャッタを押圧傾動させて開き、便器本体の内側に進出した局部洗浄ノズルの先端部から洗浄水が吐出することによって局部を洗浄するように構成されている。
【０００４】
脱臭装置（脱臭ユニット）は、例えば、便器本体の後部上面に局部洗浄装置と一体のユニットとして設けられ、便器本体に向けて開口する吸込口から便器本体内に淀む空気を吸い込み、吸着型、分解型の脱臭カートリッジ（脱臭手段）で臭気成分を除去・分解して脱臭しつつこの空気を外部に排出するように構成されている（例えば、特許文献１参照）。
【０００５】
一方、局部洗浄装置の局部洗浄ノズルを出没させるためのノズル開口部などとの関係で便器本体の後部に設ける脱臭装置の吸込口の大きさにはある程度制約が生じる。これにより、便器本体内に淀む空気を吸い込むために出力が大きなファンが必要になるなどの不都合があった。
【０００６】
これに対し、本願の発明者らは、便器本体の後部に空気の吹出口と吸込口を設け、吹出口から便器本体のリム部の内側面に沿って横旋回させるように空気を吹き出し、旋回して戻ってきた空気を吸込口で吸い込むようにして空気を循環させ、循環過程で脱臭を行う脱臭方法及び脱臭装置を発明し、既に特許出願（特願２０１４−０８６３５９）を行っている。
【０００７】
この脱臭方法及び脱臭装置においては、横旋回により便器本体上に空気の流れを生じさせ、淀んでいた空気を引き連れるようにして吸込口に取り込むことができ、出力が大きなファンを用いることなく、効率的に脱臭を行うことが可能になる。これにより、臭気が便器本体の上方に上がって拡散することを抑制できる。
【先行技術文献】
【特許文献】
【０００８】
【特許文献１】実用新案登録第２５５９９１４号公報
【発明の概要】
【発明が解決しようとする課題】
【０００９】
ここで、本願の発明者らによる上記の脱臭方法及び脱臭装置においては、吹出口から便器本体の内側面に空気を吹き付け、リム部に沿う横旋回の循環流を形成するため、例えば使用者が便座から立ち上がる際に循環流の内側の空気が上方に引き上がり臭気が拡散することも考えられる。
【００１０】
本発明は、上記事情に鑑み、より効率的且つ効果的に臭気を捕集して用便中、用便後の臭気を脱臭することを可能にする大便器の脱臭方法及び大便器を提供することを目的とする。
【課題を解決するための手段】
【００１１】
上記の目的を達するために、この発明は以下の手段を提供している。
【００１２】
本発明の大便器の脱臭方法は、大便器の便器本体内の臭気を脱臭する方法であって、吹出口から前記便器本体内に空気を吹き出すとともに前記便器本体内の空気を吸込口から吸い込み、前記便器本体の内面に沿って横旋回する空気の横旋回流と、前記便器本体の内部を横断する空気の横断流を形成し、前記横旋回流と前記横断流によって流れて前記吸込口から吸い込んだ空気の臭気成分を脱臭手段で除去することを特徴とする水洗大便器の便器本体内の臭気を脱臭する方法であって、吹出口から前記便器本体内に空気を吹き出すとともに前記便器本体内の空気を吸込口から吸い込み、前記便器本体の内面に沿って横旋回する空気の横旋回流と、前記便器本体の内部を横断する空気の横断流を形成し、前記横旋回流と前記横断流によって流れて前記吸込口から吸い込んだ空気の臭気成分を脱臭手段で除去することを特徴とする。
【００１３】
また、本発明の大便器は、便器本体内の臭気を脱臭する脱臭装置を備えた大便器であって、前記脱臭装置が、前記便器本体内に空気を吹き出す吹出口と、前記便器本体内の空気を吸い込む吸込口と、前記吸込口から吸い込んだ空気の臭気成分を除去する脱臭手段とを備え、前記吹出口から前記便器本体内に空気を吹き出し、前記便器本体内の空気から吸い込み、前記便器本体の内面に沿って横旋回する空気の横旋回流と、前記便器本体の内部を横断する空気の横断流を形成し、前記横旋回流と前記横断流によって流れる空気を前記吸込口から吸い込むように構成されていることを特徴とする。
【００１４】
これらの発明においては、吹出口から便器本体内に空気を吹き出すとともに便器本体内の空気を吸込口から吸い込むことにより、便器本体のリム部などの内面に沿って横旋回する空気の横旋回流によって便器本体内の臭気を引き連れて吸込口から吸い込み、脱臭手段で脱臭することができる。
【００１５】
また、空気の横旋回流に加え、便器本体の内部を横断する空気の横断流を形成することによって、便器本体の中央部、すなわち、空気の横旋回流の内側に滞留する臭気を横断流によって引き連れて吸込口から吸い込み、脱臭手段で脱臭することができる。
【００１６】
これにより、より効率的且つ効果的に臭気を捕集して用便中、用便後の臭気を脱臭することが可能になり、例えば使用者が便座から立ち上がる際に便器本体の中央部の空気が上方に引き上がり臭気が拡散することを確実に防止できる。
【００１７】
また、本発明の大便器の脱臭方法においては、吹出口から前記便器本体内に空気を吹き出すとともに前記便器本体内の空気を吸込口から吸い込んで、前記便器本体内に複数の前記空気の横旋回流及び／又は複数の前記空気の横断流を形成してもよい。
【００１８】
この発明においては、便器本体内に複数の空気の横旋回流及び／又は複数の空気の横断流を形成することによって、より確実に便器本体の中央部に滞留する臭気、便器本体内の全体の臭気を捕集して脱臭することができる。
【００１９】
また、本発明の大便器においては、前記吹出口に風向調節部材が設けられ、前記風向調節部材は、前記吹出口から吹き出す空気が流通するとともに、前記便器本体の内面に向けて空気を吹き出させ、前記便器本体の内面に沿って横旋回する空気の横旋回流を形成するための横旋回流形成部と、前記便器本体の内側に向けて空気を吹き出させ、前記便器本体の内部を横断する空気の横断流を形成するための横断流形成部とを備えていることが望ましい。
【００２０】
この発明においては、吹出口に横旋回流形成部と横断流形成部を備えた風向調節部材を設けることによって、一つの吹出口から空気を吹き出すとともに、便器本体の内面に沿って横旋回する空気の横旋回流と、便器本体の内部を横断する空気の横断流を同時に形成することができる。
【００２１】
また、横旋回流形成部と横断流形成部の大きさ（面積比など）を調節することによって、好適に便器本体内の臭気を捕集して脱臭できるように空気の横旋回流と横断流の流量比を自在に且つ容易に調節することができる。
【００２２】
さらに、本発明の大便器の脱臭方法においては、吹出口から前記便器本体内に空気を吹き出すとともに前記便器本体内の空気を吸込口から吸い込み、前記便器本体の内面に沿って縦旋回する空気の縦旋回流を形成するようにしてもよい。
【００２３】
また、本発明の大便器は、前記脱臭装置が、吹出口から前記便器本体内に空気を吹き出し、前記便器本体内の空気を吸込口から吸い込み、前記便器本体の内面に沿って縦旋回する空気の縦旋回流を形成するように構成されていてもよい。
【００２４】
これらの発明においては、吹出口から便器本体内に空気を吹き出すとともに便器本体内の空気を吸込口から吸い込むことにより、便器本体の内面に沿って縦旋回する空気の縦旋回流によって便器本体内の臭気を引き連れて吸込口から吸い込み、脱臭手段で脱臭することができる。
【００２５】
そして、縦旋回（旋回軸が横方向を向く旋回）することで、便器本体から上方に上がる臭気を効率的に捕集することができる。これにより、より効率的且つ効果的に臭気を捕集して用便中、用便後の臭気を脱臭することが可能になり、例えば使用者が便座から立ち上がる際に便器本体の中央部の空気が上方に引き上がり臭気が拡散することを確実に防止できる。
【００２６】
また、本発明の大便器の脱臭方法においては、吹出口から空気を吹き出して少なくとも一部が渦流となるように前記空気の横旋回流及び／又は前記横断流を形成するようにしてもよい。
【００２７】
本発明の大便器は、前記脱臭装置が前記吹出口及び／又は前記吸込口に渦流発生手段を備え、前記渦流発生手段によって少なくとも一部が渦流となるように前記空気の横旋回流及び／又は前記横断流を形成するように構成されていてもよい。
【００２８】
これらの発明においては、便器本体内に形成される空気の横旋回流及び／又は横断流の少なくとも一部が渦流であることによって、この渦流で周囲の広範の臭気を引き込みながら空気の横旋回流及び／又は横断流の流れによって吸込口に送り、空気を吸い込むことができる。
【００２９】
これにより、さらに効率的且つ効果的に便器本体内の臭気を捕集して用便中、用便後の臭気を脱臭することが可能になり、例えば使用者が便座から立ち上がる際に便器本体の中央部の空気が上方に引き上がり臭気が拡散することをより確実に防止できる。
【００３０】
また、本発明の大便器の脱臭方法においては、前記脱臭手段で処理した空気を前記吹出口から前記便器本体内に吹き出して循環させることが望ましい。
【００３１】
この発明においては、脱臭手段で処理した空気を吹出口から便器本体内に吹き出して循環させるようにすると、一つの送風機等の駆動装置を用いることによって吹出口から便器本体内に空気を吹き出すとともに便器本体内の空気を吸込口から吸い込んで空気を循環させることができる。これにより、効率的に脱臭処理を行うことが可能になる。
【００３２】
さらに、本発明の大便器の脱臭方法においては、前記横旋回流を前記横断流よりも強い空気の流れにすることが望ましい。
【００３３】
この発明においては、横旋回流を横断流よりも強い空気の流れにすることによって横断流が便器本体の外に流れ出てしまうことを確実に防止でき、臭気が拡散することを防止して効果的に脱臭処理を行うことが可能になる。
【００３４】
また、本発明の大便器の脱臭方法においては、前記横断流が前記横旋回流に合流して前記吸込口から吸い込まれるようにすることが望ましい。
【００３５】
この発明においては、横断流が横旋回流に合流して吸込口から吸い込まれることによって、横旋回流に加えて便器本体の中央部の臭気を捕集する横断流を形成するようにしても、この横断流で引き込まれた臭気を横旋回流とともに吸込口に送って効果的且つ効率的に脱臭処理することができる。
【発明の効果】
【００３６】
本発明の大便器の脱臭方法及び大便器においては、より効率的且つ効果的に臭気を捕集して用便中、用便後の臭気を脱臭することが可能になる。
【図面の簡単な説明】
【００３７】
【図１】本発明の第１実施形態に係る大便器を示す斜視図である。
【図２】本発明の第１実施形態に係る大便器、大便器の脱臭方法を示す平面図である。
【図３】本発明の第１実施形態に係る大便器の脱臭装置の吹出口、吸込口を示す斜視図である。
【図４】本発明の第１実施形態に係る大便器の脱臭装置の吹出口を示す図である。
【図５】本発明の第１実施形態に係る大便器の脱臭方法を示す図であり、便器本体内に空気の横旋回流、横断流を形成した状態を示す図である。
【図６】本発明の第１実施形態に係る大便器の脱臭方法を示す図であり、便器本体内に空気の横旋回流、横断流を形成した状態を示す図である。
【図７】本発明の第１実施形態に係る大便器の脱臭方法を示す図であり、便器本体内に空気の横旋回流、横断流を形成した状態を示す図である。
【図８】本発明の第１実施形態に係る大便器の脱臭方法を示す図であり、便器本体内に空気の横旋回流、横断流を形成した状態を示す図である。
【図９】本発明の第２実施形態に係る大便器の脱臭方法を示す図であり、便器本体内に空気の縦旋回流を形成した状態を示す図である。
【図１０】本発明の第３実施形態に係る大便器の脱臭方法を示す図であり、便器本体内に空気の渦流を形成した状態を示す図である。
【発明を実施するための形態】
【００３８】
以下、図１から図８を参照し、本発明の第１実施形態に係る大便器の脱臭方法及び大便器について説明する。ここで、本実施形態では、本発明に係る大便器が水洗大便器であるものとして説明を行うが、本発明に係る大便器は必ずしも水洗大便器に限定されるものではない。
【００３９】
本実施形態の水洗大便器（大便器）Ａは、図１及び図２に示すように、便器本体１と、便器本体１の後部側に設けられ、例えば使用者によるリモコン操作を検知して便器本体１内に洗浄水を吐出させる洗浄機構部２と、便座３ａ及び便蓋３ｂからなる便座部３とを備えて構成されている。
【００４０】
さらに、水洗大便器Ａは、図１から図３に示すように、用便後に局部を洗浄するための局部洗浄装置４を備えている。
【００４１】
便器本体１は、便鉢のボウル部１ａと、ボウル部１ａの上部に設けられ、便器本体１の内側に突出しつつ外周縁を形成するリム部１ｂとを備えて形成されている。
【００４２】
洗浄機構部２は、便器本体１の後部側に着脱可能に一体に設けられ、且つカバーケース６内に収容して設けられている。また、洗浄機構部２は、例えばリモコン操作によって洗浄水流路を開閉制御するコントロールバルブ、電磁バルブなどの開閉弁を備え、この開閉弁によって便器本体１のリム部１ｂに洗浄水を流すリム吐水、便器本体１の封水部１ａに洗浄水を流すジェット吐水の切替、吐水流量の制御が行えるように構成されている。
【００４３】
なお、カバーケース６は、便器本体１の後部上面に設置されるベース（ベースプレート）６ａと、ベース６ａに組み付けられて収容空間を形成するカバー（外殻体）６ｂとを備えて構成されている。
【００４４】
便座３ａ及び便蓋３ｂからなる便座部３は、カバーケース６に着脱可能に接続し、横方向Ｔ１に延びる回動軸Ｏ１周り（上下方向）に回動自在に設けられている。
【００４５】
局部洗浄装置４は、洗浄機構部２とともにカバーケース６内に収容して設けられ、例えばリモコン操作によって便器本体１内に進出する局部洗浄ノズル７、８と、カバーケース６に設けられたノズル開口部９を開閉し、局部洗浄時に局部洗浄ノズル７、８の便器本体１内への進出動作に応じてノズル開口部９を開き、局部洗浄ノズル８、９がカバーケース６内に退避するとともにノズル開口部９を閉じて、汚物、洗浄水の飛沫などが局部洗浄ノズル７、８にかかったり、内部に入り込むことを防止するためのシャッタ１０とを備えている。
【００４６】
また、本実施形態において、局部洗浄装置４は、局部洗浄時に、リモコン操作などに応じて便器本体１の内側に局部洗浄ノズル７、８が進出するとともに、局部洗浄ノズル７、８の先端部がシャッタ１０の背面側を押圧してシャッタ１０が回動して開く。そして、便器本体１の内側に進出した局部洗浄ノズル７、８の先端部から洗浄水が吐出して局部を洗浄するように構成されている。局部洗浄後は、局部洗浄ノズル７、８が退避するとともにシャッタ１０の押圧状態が解除されて自動的にシャッタ１０が回動しノズル開口部９を閉じるように構成されている。
【００４７】
具体的に、本実施形態の局部洗浄装置４は、図２から図５に示すように、カバーケース６のベース６ａの中央に配置されたノズルユニット１１と、局部を洗浄するための温水をノズルユニット１１に供給する温水供給ユニットと、温風によって洗浄後の局部を乾燥させるための温風乾燥ユニット（温風乾燥装置）１２とを備えて構成されている。
【００４８】
また、本実施形態では、この局部洗浄装置４が用便中、用便後の臭気を吸い込んで脱臭する脱臭ユニット（脱臭装置）１３を備えている。
【００４９】
ノズルユニット１１は、肛門洗浄用ノズルとビデ用ノズルの一対の局部洗浄ノズル（ツインノズル）７、８と一対の局部洗浄ノズル７、８を内包するノズルカバーとを備えている。本実施形態の一対の局部洗浄ノズル７、８は、前方に向かうに従い漸次下方に傾斜し、互いに軸線方向を同方向に向けて平行に配設されている。また、各局部洗浄ノズル７、８は、下方に位置する先端部に洗浄水を吐出する吐出孔１６を備え、後端側から供給されて内部を流通した洗浄水が吐出孔１６から所定の方向に吐出するように構成されている。
【００５０】
また、一対の局部洗浄ノズル７、８はそれぞれ、略円柱棒状に形成され、ベース６ａの前面中央にノズル開口部９に対し、軸線方向（前後方向Ｔ２）に進退自在に設けられている。そして、これら一対の局部洗浄ノズル７、８はそれぞれ、洗浄時にノズル開口部９から前方に進出して便器本体１の内側に突出し、洗浄後にノズル開口部９を通じてノズルカバー及びカバーケース６内に退避して保持される。
ここで、本実施形態では前後方向Ｔ２は略前後の方向を含むものとして説明を行う。
【００５１】
温水供給ユニットは、ノズルユニット１１の各局部洗浄ノズル７、８に配管で接続されている。そして、温水供給ユニットは、制御基板からの動作指令に基づいて駆動し、所定の温度に調温された温水を洗浄水として局部洗浄ノズル７、８に供給するように構成されている。
【００５２】
温風乾燥ユニット１２は、温風発生装置１２ａ及び温風ダクト１２ｂを備え、温風ダクト１２ｂがノズル開口部９に並んで開口する吹出口１７に接続して設けられている。
【００５３】
温風発生装置１２ａは、温風ダクト１２ｂの途中に設けられたファンと、温風ダクト１２ｂのファンよりも吹出口１７側に設けられたヒータ１２ｃとを備え、ファンの駆動によって吸い込んだ空気（外気）が温風ダクト１２ｂを流通し、外気をヒータ１２ｃで所定の温度に加熱するとともに吹出口１７から前方の所定の方向、位置に吹き出すように構成されている。
【００５４】
一方、本実施形態の脱臭ユニット１３は、脱臭ダクト１３ａと、脱臭ダクト１３ａの中途に設けられたファン（送風機）１３ｂと、ファン１３ｂよりも上流側の脱臭ダクト１３ａ内に配置された脱臭カートリッジ（脱臭手段）１３ｃと、ファン１３ｂよりも下流側に配置された除菌ユニットとを備えて構成されている。
【００５５】
脱臭ダクト１３ａは、ノズル開口部９に並んで開口する吸込口１８に上流側の一端を接続し、下流側の他端を温風ダクト１２ｂのヒータ１２ｃよりも下流側に接続して設けられている。すなわち、本実施形態では、温風ダクト１２ｂの下流側と脱臭ダクト１３ａの下流側が共用通路とされ、温風ダクト１２ｂと脱臭ダクト１３ａは吹出口１７を兼用するように構成されている。
【００５６】
また、脱臭ダクト１３ａと温風ダクト１２ｂの接続部には、通路切替え及び風量調整用のダンパ１９が設けられ、このダンパ１９の制御角度に応じて温風ダクト１２ｂと脱臭ダクト１３ａとの開口比率を調整できるように構成されている。
【００５７】
脱臭カートリッジ１３ｃは、例えば、活性炭等の吸着型の脱臭剤を備え、通過する空気に含まれる臭気を脱臭剤によって取り除く。なお、脱臭剤は、脱臭が可能であれば特に限定する必要はない。例えば触媒であってもよく、光触媒のように紫外線等の光線を照射することによって物質を分解する分解型の脱臭剤であってもよい。
【００５８】
除菌ユニットは、例えば、除菌イオンを発生させ、浮遊菌の繁殖を抑制し、且つ除菌するものであり、空気を電離させてプラスイオンとマイナスイオンを生じさせ、そのプラスイオンとマイナスイオンにより浮遊菌を取り囲んで不活化するものが好適である。
【００５９】
ここで、本実施形態では、図４に示すように、脱臭ダクト１３ａを通過した空気を吹き出す吹出口１７に風向調節部材２０が取り付けられている。この風向調節部材２０は、吹出口１７を上下方向略中央を境に上部と下部に分け、さらに上部と下部を通過する空気がそれぞれ異なる向きに送風されるように、上部と下部にそれぞれ向きがなる風向板を備えて形成されている。
【００６０】
そして、本実施形態の風向調節部材２０は、吹出口１７から吹き出す空気が流通するとともに、便器本体１の内面に向けて空気を吹き出させ、便器本体１の内面に沿って横旋回する空気の横旋回流Ｒ１を形成するための横旋回流形成部２１が上部に、便器本体１の内側に向けて空気を吹き出させ、便器本体１の内部を横断する空気の横断流Ｒ２を形成するための横断流形成部２２が下部に設けられている。
【００６１】
次に、上記構成からなる本実施形態の水洗大便器Ａにおいて、用便中、用便後に脱臭を行う方法について説明するとともに、本実施形態の水洗大便器Ａの脱臭方法及び水洗大便器Ａの作用効果について説明する。
【００６２】
まず、使用者が便座に座ると、これをセンサ（検知手段）が検知し検知信号が制御装置（制御手段）に送られる。そして、制御装置が脱臭ユニット１３のファン１３ｂを駆動制御し、便器本体１内の空気を吸込口１８から吸い込み、脱臭ダクト１３ａを流通する間に脱臭カートリッジ１３ｃで臭気成分を除去、分解し、処理後の空気を吹出口１７から吹き出す。
【００６３】
このとき、本実施形態の水洗大便器Ａの脱臭方向及び水洗大便器Ａにおいては、図２に示すように、吹出口１７に風向調節部材２０が設けられ、この風向調節部材２０が上部側の横旋回流形成部２１を通過する空気を便器本体１のリム部１ｂに向けて吹き出し、下部側の横断流形成部２１を通過する空気を便器本体１の封水部１ａ上の便器本体の内側略中央に向けて吹き出するように構成されている。
【００６４】
このため、まず、便器本体１のリム部１ｂに向けて吹き出された空気は、リム部１ｂがその上部に便器本体１の内側に突出し、便器本体１の後部側から前部側まで連続して環状に繋がるオーバーハング部を備えて形成されているため、リム部１ｂに沿って便器本体１の左右一方の後部側から前部側に流通し、さらに左右他方の前部側から後部側に流通して吸込口１８に吸い込まれ、脱臭ダクト１３ａ内の脱臭カートリッジ１３ｃで処理されて再度吹出口１７から吹き出される。
【００６５】
そして、このようにリム部１ｂに沿って環状に流れる横旋回の横旋回流Ｒ１が形成されることによって、便器本体１内で発生した臭気が横旋回流Ｒ１に引き込まれ、脱臭カートリッジ１３ｃで順次脱臭処理される。また、このとき、横旋回流Ｒ１を形成することによって、便器本体１の外に臭気が流れ出ることを抑止することができる。
【００６６】
また、本実施形態では、風向調節部材２０の上部側の横断流形成部２２を通過する空気が便器本体１の内側に向けて吹き出される。この空気は、横旋回流Ｒ１で囲まれた内部、すなわち、便器本体１内を略直線的に横断するように流れる。これにより、横旋回流Ｒ１で囲まれた内部、すなわち便器本体１の中央部分の臭気を横断流Ｒ２が引き連れながら横旋回流Ｒ１に合流することになる。
【００６７】
これにより、吹出口１７から吹き出した空気によって形成される横旋回流Ｒ１で便器本体１内で発生した臭気を引き込んで順次脱臭処理するとともに、横旋回流Ｒ１による引込力が弱くなる便器本体１の中央部分に滞留する臭気を横断流Ｒ２が引き込んで移送し、横旋回流Ｒ１に合流させてのせ、順次脱臭処理することができる。
【００６８】
よって、本実施形態の水洗大便器Ａの脱臭方法及び水洗大便器Ａにおいては、吹出口１７から吹き出した空気によって横旋回流Ｒ１と横断流Ｒ２を形成し、空気の横旋回流Ｒ１の中心部分、すなわち便器本体１の中央部分の臭気を横断流Ｒ２で移送して横旋回流Ｒ１にのせることができ、便器本体１の中央部分に臭気が滞留し淀むことを阻止して効率的に脱臭を行うことが可能になる。
【００６９】
そして、このように横旋回流Ｒ１と横断流Ｒ２を併用して脱臭を行い、便器本体１の中央部分に臭気が滞留し淀むことを阻止できることによって、用便中だけでなく、用便後に使用者が立ち上がるときに便器本体１内の臭気が便器本体１の上方に上がって拡散することを防止できる。
【００７０】
また、横旋回流Ｒ１の内側に横断流Ｒ２を形成することによって、この横断流Ｒ２が蓋のように作用して便器本体１の中央部分の臭気が上方に上がることを阻止することも可能になる。
【００７１】
これにより、本実施形態の水洗大便器Ａの脱臭方法及び水洗大便器Ａによれば、従来よりも効率的且つ効果的に臭気を捕集し、効果的に用便中、用便後の臭気を脱臭することが可能になる。
【００７２】
また、吹出口１７から吹き出した空気が吸込口１８から吸い込まれて脱臭カートリッジ１３ｃで脱臭処理され、再度吹出口１７から吹き出して循環する。このため、脱臭カートリッジ１３ｃで処理する際に、循環する空気を複数回にわたって脱臭処理することができ、必ずしも臭気成分を高性能脱臭剤を用いて１００％近い高効率で脱臭処理する必要がなく、低性能脱臭剤を用いて複数回の循環によって適宜処理することが可能になる。これにより、脱臭装置１３の低コスト化を図ることも可能になる。
【００７３】
また、一つの吹出口１７に、下部側を通過する空気を便器本体１のリム部１ｂに向けて吹き出し、上部側を通過する空気を便器本体１の内側に向けて横断するように吹き出す風向調節部材２０を設けることで、空気の横旋回流Ｒ１と横断流Ｒ２を形成することができる。
すなわち、一つの吹出口１７から空気を吹き出すことで同時に空気の横旋回流Ｒ１と横断流Ｒ２を形成することができる。
【００７４】
さらに、例えば、上部の横旋回流形成部２１と下部の横断流形成部２２の大きさ（面積比など）が異なる風向調節部材２０に交換するなどして、容易に風向調節部材２０の上部と下部のそれぞれの部位から吹き出す空気の流量を調節することができる。これにより、容易に横旋回流Ｒ１と横断流Ｒ２の流量を調節することができ、この調節により、確実に横旋回流Ｒ１を形成しつつ横断流Ｒ２で便器本体１内の臭気を引き連れて横旋回流Ｒ１に合流させ、脱臭することが可能になる。
【００７５】
また、風向調節部材２０は、その調節部（羽根部）の向きを変えることができる可変式であってもよい。この場合には、適宜空気を吹き出す方向を変えることができ、効果的に脱臭処理が行えるように横旋回流Ｒ１、横断流Ｒ２を形成することができる。
【００７６】
また、使用者が便座から立ち上がる動作を検知し、この検知結果を受けた制御装置によって脱臭ファン１３ｂの駆動を制御し、使用者が便座から立ち上がる動作を検知するとともに脱臭ファン１３ｂの出力を上げて、より強く空気の吹き出し、吸い込みを行うようにすれば、より確実且つ効果的に、使用者の立ち上がり動作に伴って臭気が便器本体１の内部から上方に上がって拡散することを防止できる。
【００７７】
さらに、横旋回流Ｒ１を横断流Ｒ２よりも強い空気の流れにすることによって横断流Ｒ２が便器本体１の外に流れ出てしまうことを確実に防止でき、臭気が拡散することを防止して効果的に脱臭処理を行うことが可能になる。
【００７８】
また、横断流Ｒ２が横旋回流Ｒ１に合流して吸込口１８から吸い込まれることによって、横旋回流Ｒ１に加えて便器本体１の中央部の臭気を捕集する横断流Ｒ２を形成するようにしても、この横断流Ｒ２で引き込まれた臭気を横旋回流Ｒ１とともに吸込口１８に送って効果的且つ効率的に脱臭処理することができる。
【００７９】
以上、本発明に係る大便器の脱臭方法及び大便器の第１実施形態について説明したが、本発明は上記の第１実施形態に限定されるものではなく、その趣旨を逸脱しない範囲で適宜変更可能である。
【００８０】
例えば、本実施形態では、一つの吹出口１７から横旋回流Ｒ１と横断流Ｒ２を同時に形成できるようにしたが、図５に示すように、別途、空気を吹き出して横断流Ｒ２を形成するための吹出口１７を設けてもよい。
【００８１】
また、図６に示すように、横断流Ｒ２を吸い込む吸込口１８を横旋回流Ｒ１の吸込口１８と別に設けるようにしてもよい。
【００８２】
さらに、図７、図８に示すように、吹出口１７及び／又は吸込口１８を複数設けてもよく、また、複数の吹出口１７及び／又は吸込口１８で空気の吹き出し、吸い込みを行うことによって、便器本体１の内側に複数の空気の横旋回流Ｒ１を形成するようにしてもよい。
【００８３】
また、図７、図８に示すように、複数の吹出口１７及び／又は吸込口１８で空気の吹き出し、吸い込みを行うことで形成される一つの空気の流れ（図中の連続する破線−矢印で示した空気の流れ）によって、便器本体１の内面に沿って流れる横旋回流Ｒ１と便器本体１の内側を横断する横断流Ｒ２が順次形成されてもよい。言い換えれば、複数の吹出口１７及び／又は吸込口１８で空気の吹き出し、吸い込みを行うことで形成される一つの空気の流れが、横旋回流Ｒ１から横断流Ｒ２に、横断流Ｒ２から横旋回流Ｒ１に変化するようにしてもよい。
【００８４】
さらに、便器本体１内の空気を吸い込んで脱臭処理を行うことが可能であれば、吹出口１７や吸込口１８を便器本体１に形成したり、また、便器本体１の前部側に形成したり、便座３ａや便蓋３ｂに形成してもよい。
【００８５】
また、中空状の便器本体１の内部、便座３ａや便蓋３ｂの内部を空気の流路とし、この中空状の便器本体１の内部、便座３ａや便蓋３ｂの内部に脱臭カートリッジ（脱臭手段）１３ｃを設けるようにしてもよい。
【００８６】
また、中空状の便器本体１や便座３ａ、便蓋３ｂに周方向に所定の間隔をあけて複数吹出口１７や吸込口１８を設けて便器本体１内側に多方向（放射方向など）から空気を吹き出したり、多方向から空気を吸い込んで脱臭するように構成してもよい。
【００８７】
さらに、吹出口１７から空気を吹き出す吹出力で横旋回流Ｒ１や横断流Ｒ２の空気の流れを形成するのではなく、吸込口１８から空気を吸い込む吸込力で横旋回流Ｒ１や横断流Ｒ２の空気の流れを形成するようにしてもよい。また、吹出力と吸込力を併用して空気の流れを形成しても勿論構わない。
【００８８】
そして、このような構成にした場合においても、便器本体１の中央部の臭気を確実に脱臭することができ、本実施形態と同様の作用効果を得ることが可能である。
【００８９】
また、横旋回流Ｒ１や横断流Ｒ２を上下方向Ｔ３に複数形成するようにしてもよい。
例えば、上下に複数の横断流Ｒ２を形成すれば、横断流Ｒ２で捕集できずに上方に上がった臭気を上方の横断流Ｒ２で捕集することができる。これにより、さらに確実に臭気が拡散することを防止できる。また、上方の横断流Ｒ２が蓋のように作用し、下方の横断流Ｒ２で効率的に臭気を捉えて脱臭することも可能になる。
【００９０】
また、本実施形態では、脱臭ユニット１３の吹出口１７から吹き出した空気を旋回させて吸込口１８から吸い込み、脱臭カートリッジ１３ｃで脱臭処理した後に再度吹出口１７から吹き出すように循環するものとしたが、脱臭ユニット１３の吹出口１７から吹き出した空気を旋回させ、臭気を捕集した横旋回流Ｒ１を吸込口１８から吸い込んで脱臭カートリッジ１３ｃで脱臭処理した後に外部に排気するように構成してもよい。すなわち、必ずしも循環させなくてもよい。
【００９１】
次に、図９を参照し、本発明の第２実施形態に係る大便器の脱臭方法及び大便器について説明する。ここで、本実施形態は、第１実施形態と同様、吹出口から空気を便器本体内に吹き出し、吸込口から便器本体内の空気を吸い込んで脱臭を行う手段、方法に関するものである。よって、本実施形態では第１実施形態と同様の構成に対し同一符号を付し、その説明を省略する。
【００９２】
本実施形態の水洗大便器Ａにおいては、第１実施形態が脱臭ユニット１３の吹出口１７から空気を吹き出し、この空気を便器本体１のリム部１ｂに沿って横旋回させて吸込口１８から吸い込んで循環させるのに対し、図９に示すように、リム部１ｂ側から封水部１ａ側、封水部１ａ側からリム部１ｂ側に縦旋回させて空気を循環させる。
【００９３】
具体的に、本実施形態では、吹出口１７と吸込口１８を便器本体１の後部側に配置し、吹出口１７から便器本体１の前部側の内面に向けて空気を吹き出し、便器本体１の内部の上部側に後部側から前部側に向かう空気の横断流を形成する。
【００９４】
また、例えば、便器本体１の前部側の内面の上部に上方から下方側に向かうに従い漸次前方側に傾斜し、さらに下方に向かうに従い後方側に傾斜して滑らかに繋がる空気誘導面１ｃを形成しておく。
【００９５】
これにより、本実施形態では、吹出口１７から吹き出した空気の直線流が空気誘導面１ｃの上部側に当たるとともに、空気誘導面１ｃに沿って下方に流れ、便器本体１内の下方側を前部側から後部側に向けて空気が流れる。そして、この空気が便器本体１内の後部側に達するとともに上方に上がって吸込口１８から吸い込まれる。
【００９６】
よって、本実施形態の水洗大便器Ａの脱臭方法及び水洗大便器Ａにおいては、吹出口１７から便器本体１の内側に空気を吹き出し、吸込口１８から便器本体１内の空気を吸い込むことによって、縦旋回流Ｒ３を形成することができる。そして、このように空気の縦旋回流Ｒ３を形成することによって、便器本体１内の臭気を脱臭することができ、第１実施形態と同様の作用効果を得ることが可能になる。
【００９７】
また、本実施形態においては、空気の縦旋回流Ｒ３を形成するとともに、便器本体１の上方側に空気の直線流が形成されることによって、この空気の直線流が蓋のように作用し、便器本体１内から臭気が上方に上がって拡散することを防止できる。また、便器本体１内から上方に上がった臭気を空気の直線流で効果的に捕集することができ、確実且つ効率的に脱臭を行うことが可能になる。
【００９８】
以上、本発明に係る大便器の脱臭方法及び大便器の第２実施形態について説明したが、本発明は上記の第２実施形態に限定されるものではなく、その趣旨を逸脱しない範囲で適宜変更可能である。
【００９９】
第１実施形態に記載した構成と組み合わせたり、第１実施形態の構成、変更例の構成を適宜選択的に適用して本実施形態の縦旋回流Ｒ３を形成するようにしてもよい。
【０１００】
例えば、縦旋回流Ｒ３の数、縦旋回流Ｒ３の空気の流れ方向、縦旋回流Ｒ３の形成位置などは、必ずしも本実施形態のように限定しなくてもよい。
【０１０１】
次に、図１０及び図１１を参照し、本発明の第３実施形態に係る大便器の脱臭方法及び大便器について説明する。
ここで、本実施形態は、第１、第２実施形態と同様、吹出口から空気を便器本体内に吹き出し、吸込口から便器本体内の空気を吸い込んで脱臭を行う手段、方法に関するものである。よって、本実施形態では第１、第２実施形態と同様の構成に対し同一符号を付し、その説明を省略する。
【０１０２】
本実施形態では、脱臭ユニット１３の空気を吹き出す吹出口１７と空気を吸い込む吸込口１８の配置等が第１実施形態の構成、第２実施形態の構成、これらの変更例の構成と同様とされ、吹出口１７からの空気を吹き出しや、吸込口１８への空気の吸い込みによって、第１実施形態の横旋回流Ｒ１、横断流Ｒ２、複数の横旋回流Ｒ１及び横断流Ｒ２、第２実施形態の縦旋回流Ｒ３を形成する。
【０１０３】
一方、本実施形態においては、図１０、図１１に示すように、このような横旋回流Ｒ１、横断流Ｒ２、縦旋回流Ｒ３などを形成するにあたり、その少なくとも一部に渦流Ｒ４を含むようにする。
【０１０４】
例えば、脱臭ユニット１３ｃの吹出口１７及び／又は吸込口１８に、内側に螺旋状の通路を備えた筒などの渦流発生手段を設ける。すなわち、空気が渦流発生手段を通過するとともにこの空気に旋回力を作用させ、流れ方向（横方向）に渦軸を向けた横渦流Ｒ４を吹出口１７から空気の流れ方向（吹出方向）前方側に形成し、及び／又は吸込口１８から空気の流れ方向（吸込方向）後方側に形成する。
【０１０５】
これにより、便器本体１内に横方向に渦軸を向けた横渦流Ｒ４を形成しつつ空気が第１実施形態や第２実施形態のように横旋回流Ｒ１、横断流Ｒ２、縦旋回流Ｒ３として流れる。そして、横旋回流Ｒ１、横断流Ｒ２、縦旋回流Ｒ３の少なくとも一部に横渦流Ｒ４が形成されていることで、便器本体１内の臭気が横渦流Ｒ４ひいては横旋回流Ｒ１、横断流Ｒ２、縦旋回流Ｒ３に効率的に引き込まれ、吸込口１８で吸い込まれてゆき、順次脱臭処理されることになる。
【０１０６】
よって、この場合には、横渦流Ｒ４を含んだ空気流が便器本体１内を流れることによって直線流よりも周りの臭気を多く引き込み、便器本体１内の臭気を効率的に捕集することができ、この空気流が吸込口１８から吸い込まれて脱臭カートリッジ１３ｃで処理されることで効率的な脱臭が行える。
【０１０７】
また、例えば、吹出口１７柱棒などの障害物（渦流発生手段）をその軸線方向を上下方向あるいは横方向（水平方向）に向けて設置する。そして、吹出口１７から吹き出す空気を障害物に当てて便器本体１内に吹き出すようにすると、障害物の空気流れ方向下流側にカルマン渦（渦流Ｒ４）が形成される。なお、軸線方向を上下方向に向けて円柱棒などの障害物を吹出口に設ければ、渦軸が上下方向を向くカルマン渦が形成され、軸線方向を横方向（水平方向）に向けて円柱棒などの障害物を吹出口に設ければ、渦軸が横方向を向くカルマン渦が形成される。
【０１０８】
そして、このようなカルマン渦の渦流Ｒ４を含んだ空気流が便器本体１内を流れることによって直線流よりも周りの臭気を多く引き込み、便器本体１内の臭気が効率的に捕集される。このため、この空気流が吸込口１８から吸い込まれて脱臭カートリッジ１３ｃで処理されることで効率的な脱臭が行える。
【０１０９】
以上、本発明に係る大便器の脱臭方法及び大便器の第３実施形態について説明したが、本発明は上記の第３実施形態に限定されるものではなく、その趣旨を逸脱しない範囲で適宜変更可能である。
【０１１０】
第１、第２実施形態に記載した構成と組み合わせたり、第１、第２実施形態の構成、変更例の構成を適宜選択的に適用して本実施形態の渦流Ｒ４を形成するようにしてもよい。
【０１１１】
また、吹出口１７や吸込口１８側の一部に渦流Ｒ４を形成して臭気を捕集するように構成してもよい。
【符号の説明】
【０１１２】
１      便器本体
１ａ    ボウル部
１ｂ    リム部
２      洗浄機構部
３      便座部
３ａ    便座
３ｂ    便蓋
４      局部洗浄装置
６      カバーケース
６ａ    ベース（ベースプレート）
６ｂ    カバー（外殻体）
７      一方の局部洗浄ノズル（肛門洗浄用ノズル）
８      他方の局部洗浄ノズル（ビデ用ノズル）
９      ノズル開口部
１０    シャッタ
１１    ノズルユニット
１２    温風乾燥ユニット（温風乾燥装置）
１２ａ  温風発生装置
１２ｂ  温風ダクト
１３    脱臭ユニット（脱臭装置）
１３ａ  脱臭ダクト１３ａ
１３ｂ  ファン（送風機）
１３ｃ  脱臭カートリッジ（脱臭手段）
１６    吐出孔
１７    吹出口
１８    吸込口
１９    ダンパ
２０    風向調節部材
２１    横旋回流形成部
２２    横断流形成部
Ａ      水洗大便器（大便器）
Ｏ１    回動軸
Ｒ１    横旋回流
Ｒ２    横断流
Ｒ３    縦旋回流
Ｒ４    渦流
Ｔ１    横方向
Ｔ２    前後方向
Ｔ３    上下方向
【図１】
0006374364.tif 000002
【図２】
0006374364.tif 000003
【図３】
0006374364.tif 000004
【図４】
0006374364.tif 000005
【図５】
0006374364.tif 000006
【図６】
0006374364.tif 000007
【図７】
0006374364.tif 000008
【図８】
0006374364.tif 000009
【図９】
0006374364.tif 000010
【図１０】
0006374364.tif 000011